(57)【要約】      （修正有）【課題】動物体にバックを装着した際、バック本体に取付けられた帯状体が捩れることなく、安定してバック本体を動物体に固定できる動物用バックの提供。【解決手段】動物の腹部上でＸ字型に交差する様に、バック本体の外面に取付けられた２本の第１の帯状体と、動物の頸部周囲でＵ字型を形成する様に、前記２本の第１帯状体に取付けられた１本の第２の帯状体とを具備し、各々の帯状体は帯の長さを調節する調節機構を有する。【選択図】図１
0003127032.tif 000002
【実用新案登録請求の範囲】
【請求項１】
動物の背中に背負わせるバック本体と、前記動物の腹部上でＸ字型に交差する様に、前記バック本体の外面に取付けられた２本の第１の帯状体と、前記動物の頸部周囲でＵ字型を形成する様に、前記２本の第１帯状体に取付けられた１本の第２の帯状体とを具備した動物用バック。
【請求項２】
前記第１の帯状体は帯の長さを調節するための調節機構を有することを特徴とする請求項１記載の動物用バック。
【請求項３】
前記第２の帯状体は帯の長さを調節するための調節機構を有することを特徴とする請求項１又は請求項２記載の動物用バック。
【請求項４】
前記第１の帯状体は、異なる長さの２本の帯から構成され、前記一方の帯の先端部には係止突部を取付け、前記他方の帯の先端部には、前記係止突部を挿入可能な係止受部を取付けたことを特徴とする請求項１記載の動物用バック。
【請求項５】
前記第２の帯状体は、異なる長さの２本の帯から構成され、前記一方の帯の先端部には係止突部を取付け、前記他方の帯の先端部には、前記係止突部を挿入可能な係止受部を取付けたことを特徴とする請求項１又は請求項４記載の動物用バック。
【考案の詳細な説明】
【技術分野】
【０００１】
この考案は、動物に背負わせる動物用バッグに関する。
【背景技術】
【０００２】
動物を伴い、散歩する際は、道路公園等にされた動物の糞などを片付ける為のスコップや持ち帰る為の袋などの処理道具を携行しなければならない。通常、動物の飼い主は、片手に動物を操る紐も持ち、もう一方の手で前記処理道具を携行している。しかしながら、前記処理道具を片手で携行するのは不便であり、さらに動物が予測不能な動きをした場合は、飼い主にとっての安全性が脅かされる可能性がある。上記の様な問題点を解決するために、前記処理道具を動物自身に携行させるためのバッグが考案されている（例えば特許文献１参照）。
【０００３】
【特許文献１】登録実用新案第３１１０１０４号公報
【考案の開示】
【考案が解決しようとする課題】
【０００４】
従来の動物用バッグは、バッグ本体に取付けられた一本の帯状体を動物の腹部上に掛け渡すことでバッグ本体を動物体に固定する構造となっているため、動物が激しく動いた場合、前記帯状体が捩れたり、バッグ本体が安定しない問題点があった。
【０００５】
上記先行考案の問題点を鑑み、本考案は、動物にバッグを装着した際、バッグ本体に取付けられた帯状体が捩れることなく、安定してバッグ本体を動物に固定できる動物用バッグを提供することを目的とする。
【課題を解決するための手段】
【０００６】
上記課題を解決するために、本考案は、動物の背中に背負わせるバッグ本体と、前記動物の腹部上でＸ字型に交差する様に、前記バッグ本体の外面に取付けられた２本の第１の帯状体と、前記動物の頸部周囲でＵ字型を形成する様に、前記２本の第１帯状体に取付けられた１本の第２の帯状体とを具備することを特徴としたものである。
【０００７】
バッグ本体に取付けた２本の第１の帯状体を、動物の腹部上でＸ字型に交差する様に掛け渡し、さらに前記２本の帯状体に取付けた１本の第２の帯状体を動物の頸部周辺にＵ字型を形成するように掛け渡すことで、バッグを動物に固定する。
【考案の効果】
【０００８】
動物用バッグを上述した様な構成とすることで、バッグ本体に取付けられた帯状体が捩れることなく、安定してバッグ本体を動物に固定することが可能となる。
【考案を実施するための最良の形態】
【０００９】
次に本考案の実施の形態を、図面を参照しながら説明する。
【００１０】
図１に示す様に、動物用バッグ１は、処理道具等を収納するバッグ本体１０と、２本の第１の帯状体１１、１２と、１本の第２の帯状体１３とから構成されている。
【００１１】
バッグ本体１０は箱型であり、フラップ２０と、面ファスナー１９と、図示しないファスナーと、から構成されている。
【００１２】
図示しないファスナーは、フラップ２０によって覆われるバッグ本体１０の端面と隣り合うバッグ本体１０の側面の中央近傍から、前記端面を通って、一方の側面の中央近傍にかけて取付けられている。
【００１３】
フラップ２０は、バッグ本体１０が動物の背中と接触するバッグ下面の動物の頸部側に取付けられている。またバッグ下面に対して反対側のバッグ上面でフラップ２０を係止する為に、フラップ２０の端部には面ファスナー１９が設けられている。
【００１４】
バッグ本体１０に、図４の様に、バッグ本体１０の側面から動物の頸部側の端面を経由して、反対側の側面にかけて、ファスナー２１を取付けることで、バッグの開閉を行う。また、ファスナー２１を覆うようにしてフラップ２０を設けることにより、ファスナーを閉め忘れた際、バッグの内容物が落下することを防止している。
【００１５】
帯状体１１、１２は、それぞれ２本の長さが異なる帯１１ａ、１１ｂ及び１２ａ、１２ｂと、帯の長さを調整するための尾錠１５と、それぞれの帯を連結するための係止部材１６ａ、１６ｂ及び１７ａ、１７ｂとから構成されている。
【００１６】
図２及び図３に示す様に、２本の帯１１ａと１２ａはそれぞれ、バッグ下面の動物の臀部側下部に取付けられている。また、それぞれの帯の中間部には尾錠１５を設け、端部には三叉状の係止突部１６ａと１７ａをそれぞれ取付けている。
【００１７】
一方、帯１１ｂはバッグ本体１０の下面の帯１１ａが備えられている位置に対して、バッグ本体１０の下面の略対角の位置に配置される。
【００１８】
帯１２ｂはバッグ本体１０の下面の帯１２ａが備えられている位置に対して、バッグ本体１０の下面の略対角の位置に配置される。
【００１９】
１１ｂと１２ｂのそれぞれの帯の端部には、三叉状の係止突部１６ａと１７ａをそれぞれ差し込み、連結するための係止受部１６ｂ及び１７ｂとを備えている。
【００２０】
帯状体１３は、長さが異なる２本の帯１３ａ及び１３ｂから構成されている。
【００２１】
帯１３ａは、帯１２ｂのバッグ逢着部付近に、一方の帯１３ｂは、帯１１ｂのバッグ逢着部付近にそれぞれ取付けられている。
【００２２】
帯１３ａの中間部には、尾錠１５を設け、端部には三叉状の係止突部１８ａを取付けている。
【００２３】
一方の帯１３ｂの端部には三叉状の係止突部１８ａを差し込み、連結するための係止受部１８ｂを取付けている。
【００２４】
帯１１ａの端部に取付けている係止突部１６ａを帯１１ｂの端部に取付けてある係止受部１６ｂに挿入し、帯１１ａと帯１１ｂを連結することで、帯状体１１を形成する。
【００２５】
帯１２ａの端部に取付けている係止突部１７ａを帯１２ｂの端部に取付けてある係止受部１７ｂに挿入し、帯１２ａと帯１２ｂを連結することで、帯状体１２を形成する。
【００２６】
さらに、帯１３ａの端部に取付けている係止突部１８ａを帯１３ｂの端部に取付けてある係止受部１８ｂに挿入し、帯１３ａと帯１３ｂを連結することで、帯状体１３を形成する。
【００２７】
上記の様に、長短の帯状体をそれぞれ連結することにより、図１の様に、帯状体１１及び１２はバッグ下面上で、Ｘ字型を成すように形成される。一方、帯状体１３は長短の帯状体を連結することにより、円環状を成すように形成される。
【００２８】
また、それぞれの帯状体１１、１２及び１３には帯状体の長さを調整するための尾錠１５が設けられているため、帯状体の長さの微調整が可能である。
【００２９】
実際に本考案の動物用バッグ１を犬Ｄに装着させた様子を示すのが図４である。
【００３０】
犬への本考案の動物用バッグ１の取付け方は、先ず、犬の背面上にバッグ本体１０の下面を向かいあわせる様に乗せ、帯１３ａを犬の頸部周囲でＵ字型を形成する様に掛け渡し、帯１３ａの端部に取付けている係止突部１８ａを帯１３ｂの端部に取付けている係止受部１８ｂに挿入することで帯１３ａと帯１３ｂを連結する。
【００３１】
次に、帯１１ａを犬の腹部上に掛け渡し、帯１１ａの端部に取付けている係止突部１６ａを帯１１ｂの端部に取付けている係止受部１６ｂに挿入することで前記帯１１ａと前記帯１１ｂを連結する。
【００３２】
次に、帯１２ａを犬体の腹部上に掛け渡し、帯１２ａの端部に取付けている係止突部１７ａを帯１２ｂの端部に取付けている係止受部１７ｂに挿入することで帯１２ａと帯１２ｂを連結する。
【００３３】
最後に、帯状体１１、１２及び前記帯状体１３に装着している尾錠１５で各々の帯状体の長さを調整することにより、バッグ本体１０を犬に完全に固定する。
【００３４】
バッグ本体に取付けた２本の第１の帯状体を、動物の腹部上でＸ字型に交差する様に掛け渡し、さらに２本の帯状体に取付けた１本の第２の帯状体を動物の頸部周辺にＵ字型を形成するように掛け渡すことで、バッグ本体を動物に安定して固定することができる。
【００３５】
また、各々の帯状体には帯状体の長さを調節するための尾錠が取付けてあるため、バッグ本体を動物に取付けた後に、帯状体の長さを微調整することで、バッグ本体に取付けた帯状体が捩れることなく、より安定にバッグ本体を動物に装着することができる。
【００３６】
さらに、係止突部及び係止受部により帯状体の連結及び解離が簡単に行うことができるので、動物からのバッグ本体の脱着も容易に行うことができる。
【００３７】
なお、上述した各実施形態は、本考案の好適な実施形態であるが、本考案はこれに限定されるものではなく、本考案の要旨を逸脱しない範囲において、種各変形実施可能である。
【図面の簡単な説明】
【００３８】
【図１】本考案実施例の裏面図
【図２】本考案実施例の正面図
【図３】本考案実施例の裏面図
【図４】本考案の動物用バッグを犬Ｄに装着させた状態の斜視図
【符号の説明】
【００３９】
１    動物用バッグ１０    バッグ本体１１，１２，１３    帯状体１１ａ，１１ｂ，１２ａ，１２ｂ，１３ａ，１３ｂ    帯１５    尾錠１６ａ，１７ａ，１８ａ    係止突部１６ｂ，１７ｂ，１８ｂ    係止受部１９    面ファスナー２０    フラップ２１    ファスナーＤ    犬
【図１】
0003127032.tif 000003
【図２】
0003127032.tif 000004
【図３】
0003127032.tif 000005
【図４】
0003127032.tif 000006